(57)【要約】【課題】傾き検出機能を有するリモコンをより有効に使用することが可能なプロジェクター等を提供すること。【解決手段】プロジェクター１００は、リモコン２０を着脱可能に支持するとともに、リモコン２０の支持状態で、リモコン２０からリモコン２０の傾きを示す傾き情報を入力する本体側コネクター部１５０と、リモコン２０の非支持状態でリモコン２０から傾き情報または傾きに応じた操作内容を示す操作情報を受信する受信部１６０を有する本体１０と、傾きを検出して傾き情報を生成する傾き情報生成部１１０と、支持状態で傾き情報を本体側コネクター部１５０に出力するコントローラー側コネクター部１２０と、非支持状態で本体１０へ向け傾き情報または操作情報を送信する送信部１３０を有するリモコン２０を含んで構成される。【選択図】図３
2010128874.tif 000002
【特許請求の範囲】
【請求項１】
リモートコントローラーを着脱可能に支持するとともに、前記リモートコントローラーを支持した状態で、前記リモートコントローラーから前記リモートコントローラーの傾きを示す傾き情報を入力する本体側コネクター部と、
前記リモートコントローラーが前記本体側コネクター部に支持されていない状態で、前記リモートコントローラーから前記傾き情報または前記傾きに応じた操作内容を示す操作情報を受信する受信部と、
を有する本体と、
前記傾きを検出して前記傾き情報を生成する傾き情報生成部と、
前記リモートコントローラーが前記本体側コネクター部に支持されている状態で、前記傾き情報を前記本体側コネクター部に出力するコントローラー側コネクター部と、
前記リモートコントローラーが前記本体側コネクター部に支持されていない状態で、前記本体へ向け前記傾き情報または前記操作情報を送信する送信部と、
を有する前記リモートコントローラーと、
を含むプロジェクター。
【請求項２】
請求項１に記載のプロジェクターにおいて、
前記本体側コネクター部は、前記コントローラー側コネクター部と接続された場合に接続通知情報を前記コントローラー側コネクター部に出力するととともに、前記コントローラー側コネクター部と分離された場合に前記接続通知情報の出力を停止し、
前記リモートコントローラーは、前記接続通知情報に基づき、前記リモートコントローラーが前記本体側コネクター部に支持されている状態かどうかを判定する判定部を有する、
プロジェクター。
【請求項３】
請求項１、２のいずれかに記載のプロジェクターにおいて、
前記本体は、前記リモートコントローラーが前記本体側コネクター部に支持されている状態で、前記傾き情報に基づき、画像の歪みを補正する補正部を有する、
プロジェクター。
【請求項４】
請求項１〜３のいずれかに記載のプロジェクターにおいて、
前記リモートコントローラーは、前記リモートコントローラーが前記本体側コネクター部に支持されていない状態で、前記傾き情報に基づき、前記操作情報を生成する操作情報生成部を有する、
プロジェクター。
【請求項５】
リモートコントローラーを着脱可能に支持する支持部と、
前記リモートコントローラーから当該リモートコントローラーの傾きを示す傾き情報および前記リモートコントローラーの傾きに応じた操作内容を示す操作情報を受信する受信部と、
前記リモートコントローラーが前記支持部に支持されていない状態で、前記操作情報に基づき、画像を生成する画像生成部と、
前記リモートコントローラーが前記支持部に支持されている状態で、前記傾き情報に基づき、前記画像の歪みを補正する補正部と、
を有する本体と、
前記傾きを検出して前記傾き情報を生成する傾き情報生成部と、
前記傾き情報に基づき、前記操作情報を生成する操作情報生成部と、
前記本体へ向け前記傾き情報および前記操作情報を送信する送信部と、
を有する前記リモートコントローラーと、
を含むプロジェクター。
【請求項６】
本体と、当該本体に着脱可能なリモートコントローラーとを有するプロジェクターにおける画像の投写方法であって、
前記リモートコントローラーは、前記本体に接続されている場合、
前記リモートコントローラーの傾きを示す傾き情報を生成し、
前記傾き情報を前記本体に有線伝送路を介して出力し、
前記本体は、前記リモートコントローラーが接続されている場合、
前記リモートコントローラーから前記有線伝送路を介して前記傾き情報を入力し、
前記傾き情報に基づき、画像の歪みを補正して当該画像を投写し、
前記リモートコントローラーは、前記本体に接続されていない場合、
前記リモートコントローラーの傾きを示す傾き情報を生成し、
前記傾き情報を無線伝送路を介して前記本体へ向け送信し、
前記本体は、前記リモートコントローラーが接続されていない場合、
前記リモートコントローラーから前記無線伝送路を介して前記傾き情報または前記傾きに応じた操作内容を示す操作情報を受信し、
前記傾き情報または前記操作情報に基づき、前記操作内容に応じた画像を投写する、
投写方法。
【請求項７】
本体と、当該本体に着脱可能なリモートコントローラーとを有するプロジェクターにおける画像の投写方法であって、
前記リモートコントローラーは、
前記リモートコントローラーの傾きを示す傾き情報を生成し、
前記傾き情報に基づき、前記傾きに応じた操作内容を示す操作情報を生成し、
前記傾き情報および前記操作情報を前記本体へ向け送信し、
前記本体は、
前記リモートコントローラーを支持している場合、
前記傾き情報に基づき、画像の歪みを補正し、
前記歪みを補正した画像を投写し、
前記リモートコントローラーを支持していない場合、
前記操作情報に基づき、前記操作内容に応じた画像を生成し、
当該画像を投写する、
投写方法。
【請求項８】
本体と、当該本体に着脱可能なリモートコントローラーとを有するプロジェクターにおける画像の投写方法であって、
前記本体は、前記リモートコントローラーを支持しているかどうかを示す情報を前記リモートコントローラーへ向け送信し、
前記リモートコントローラーは、前記本体に支持されている場合、
前記リモートコントローラーの傾きを示す傾き情報を生成し、
前記傾き情報を前記本体へ向け送信し、
前記本体は、前記リモートコントローラーを支持している場合、
前記傾き情報を受信し、
前記傾き情報に基づき、画像の歪みを補正し、
前記歪みを補正した画像を投写し、
前記リモートコントローラーは、前記本体に支持されていない場合、
前記リモートコントローラーの傾きを示す傾き情報を生成し、
前記傾き情報に基づき、前記傾きに応じた操作内容を示す操作情報を生成し、
前記操作情報を前記本体へ向け送信し、
前記本体は、前記リモートコントローラーを支持していない場合、
前記操作情報を受信し、
前記操作情報に基づき、前記操作内容に応じた画像を生成し、
当該画像を投写する、
投写方法。
【発明の詳細な説明】
【技術分野】
【０００１】
本発明は、プロジェクターおよび投写方法に関する。
【背景技術】
【０００２】
例えば、特開２００４−６２７７４号公報では、ポインティング装置が、水平方向および垂直方向の角速度を検出して角速度情報を液晶プロジェクターに送信し、液晶プロジェクターが、角速度情報に応じてメニュー項目を決定することが記載されている。また、特開２００７−２１４７５２号公報では、プロジェクター本体の傾きを検知する角度センサーを用いて画像の台形歪み補正を行うプロジェクターが記載されている。前者のポインティング装置と後者のプロジェクターを組み合わせた場合、ポインティング装置とプロジェクターの両方に角度センサー等が必要になり、製造費用等が高くなってしまう。
【０００３】
また、例えば、特開２００８−９８８０６号公報では、盗難を防止することを目的として、プロジェクター本体に着脱可能なリモコン（リモートコントローラー）を用いて当該リモコンによってのみ操作信号を送受信することにより、プロジェクター本体を操作可能にすることが記載されている。
【特許文献１】特開２００４−６２７７４号公報
【特許文献２】特開２００７−２１４７５２号公報
【特許文献３】特開２００８−９８８０６号公報
【発明の開示】
【発明が解決しようとする課題】
【０００４】
ところで、プロジェクターが、プロジェクター本体の傾きに応じて画像の歪みを補正するためにはリアルタイムに傾き情報を用いることが好ましい。
【０００５】
一方、リモコンが角度センサー等を内蔵することによって、リモコン本体の傾斜や動きに基づく操作信号を出力することが可能となり、従来のボタン操作よりも優れた操作性を提供することができる。しかし、この場合、リモコンとプロジェクター本体の両方がそれぞれ角度センサー等を備えることになるため、製造費用等が増加してしまうという問題がある。また、例えば、特開２００８−９８８０６号公報のリモコンは、プロジェクターに支持されているかどうかに関わらず、操作部としての機能しか果たしていない。
【０００６】
本発明の目的は、傾き検出機能を有するリモコンをより有効に使用することが可能なプロジェクターおよび投写方法を提供することにある。
【課題を解決するための手段】
【０００７】
上記課題を解決するため、本発明に係るプロジェクターは、リモートコントローラーを着脱可能に支持するとともに、前記リモートコントローラーを支持した状態で、前記リモートコントローラーから前記リモートコントローラーの傾きを示す傾き情報を入力する本体側コネクター部と、前記リモートコントローラーが前記本体側コネクター部に支持されていない状態で、前記リモートコントローラーから前記傾き情報または前記傾きに応じた操作内容を示す操作情報を受信する受信部と、を有する本体と、前記傾きを検出して前記傾き情報を生成する傾き情報生成部と、前記リモートコントローラーが前記本体側コネクター部に支持されている状態で、前記傾き情報を前記本体側コネクター部に出力するコントローラー側コネクター部と、前記リモートコントローラーが前記本体側コネクター部に支持されていない状態で、前記本体へ向け前記傾き情報または前記操作情報を送信する送信部と、を有する前記リモートコントローラーとを含むことを特徴とする。
【０００８】
また、本発明に係る投写方法は、本体と、当該本体に着脱可能なリモートコントローラーとを有するプロジェクターにおける画像の投写方法であって、前記リモートコントローラーは、前記本体に接続されている場合、前記リモートコントローラーの傾きを示す傾き情報を生成し、前記傾き情報を前記本体に有線伝送路を介して出力し、前記本体は、前記リモートコントローラーが接続されている場合、前記リモートコントローラーから前記有線伝送路を介して前記傾き情報を入力し、前記傾き情報に基づき、画像の歪みを補正して当該画像を投写し、前記リモートコントローラーは、前記本体に接続されていない場合、前記リモートコントローラーの傾きを示す傾き情報を生成し、前記傾き情報を無線伝送路を介して前記本体へ向け送信し、前記本体は、前記リモートコントローラーが接続されていない場合、前記リモートコントローラーから前記無線伝送路を介して前記傾き情報または前記傾きに応じた操作内容を示す操作情報を受信し、前記傾き情報または前記操作情報に基づき、前記操作内容に応じた画像を投写することを特徴とする。
【０００９】
本発明によれば、プロジェクターは、リモコンが本体に接続されている場合にコネクター等の有線伝送路を介して傾き情報等を入力することにより、リアルタイムに傾き情報等を入力することができる。これにより、プロジェクターは、傾き検出機能を有するリモコンをより有効に使用することができる。
【００１０】
また、前記本体側コネクター部は、前記コントローラー側コネクター部と接続された場合に接続通知情報を前記コントローラー側コネクター部に出力するととともに、前記コントローラー側コネクター部と分離された場合に前記接続通知情報の出力を停止し、前記リモートコントローラーは、前記接続通知情報に基づき、前記リモートコントローラーが前記本体側コネクター部に接続されている状態かどうかを判定する判定部を有してもよい。
【００１１】
これによれば、リモコンは、本体側コネクター部との接続をより確実に判定することができるため、接続状態に応じて操作情報または傾き情報を出力する場合であっても、適切な情報を出力することができる。
【００１２】
また、前記本体は、前記リモートコントローラーが前記本体側コネクター部に支持されている状態で、前記傾き情報に基づき、画像の歪みを補正する補正部を有してもよい。
【００１３】
これによれば、プロジェクターは、リアルタイムに傾き情報を入力することができるため、リアルタイムに画像の歪みを補正することができる。
【００１４】
また、前記リモートコントローラーは、前記リモートコントローラーが前記本体側コネクター部に支持されていない状態で、前記傾き情報に基づき、前記操作情報を生成する操作情報生成部を有してもよい。
【００１５】
これによれば、ユーザーは、リモコンを傾けることによってプロジェクターを操作することができる。
【００１６】
また、本発明に係るプロジェクターは、本体と、当該本体に着脱可能なリモートコントローラーとを有するプロジェクターにおける画像の投写方法であって、前記リモートコントローラーは、前記本体に接続されている場合、前記リモートコントローラーの傾きを示す傾き情報を生成し、前記傾き情報を前記本体に有線伝送路を介して出力し、前記本体は、前記リモートコントローラーが接続されている場合、前記リモートコントローラーから前記有線伝送路を介して前記傾き情報を入力し、前記傾き情報に基づき、画像の歪みを補正して当該画像を投写し、前記リモートコントローラーは、前記本体に接続されていない場合、前記リモートコントローラーの傾きを示す傾き情報を生成し、前記傾き情報を無線伝送路を介して前記本体へ向け送信し、前記本体は、前記リモートコントローラーが接続されていない場合、前記リモートコントローラーから前記無線伝送路を介して前記傾き情報または前記傾きに応じた操作内容を示す操作情報を受信し、前記傾き情報または前記操作情報に基づき、前記操作内容に応じた画像を投写することを特徴とする。
【００１７】
また、本発明に係る投写方法は、本体と、当該本体に着脱可能なリモートコントローラーとを有するプロジェクターにおける画像の投写方法であって、前記リモートコントローラーは、前記リモートコントローラーの傾きを示す傾き情報を生成し、前記傾き情報に基づき、前記傾きに応じた操作内容を示す操作情報を生成し、前記傾き情報および前記操作情報を前記本体へ向け送信し、前記本体は、前記リモートコントローラーを支持している場合、前記傾き情報に基づき、画像の歪みを補正し、前記歪みを補正した画像を投写し、前記リモートコントローラーを支持していない場合、前記操作情報に基づき、前記操作内容に応じた画像を生成し、当該画像を投写することを特徴とする。
【００１８】
また、本発明に係る他の投写方法は、本体と、当該本体に着脱可能なリモートコントローラーとを有するプロジェクターにおける画像の投写方法であって、前記本体は、前記リモートコントローラーを支持しているかどうかを示す情報を前記リモートコントローラーへ向け送信し、前記リモートコントローラーは、前記本体に支持されている場合、前記リモートコントローラーの傾きを示す傾き情報を生成し、前記傾き情報を前記本体へ向け送信し、前記本体は、前記リモートコントローラーを支持している場合、前記傾き情報を受信し、前記傾き情報に基づき、画像の歪みを補正し、前記歪みを補正した画像を投写し、前記リモートコントローラーは、前記本体に支持されていない場合、前記リモートコントローラーの傾きを示す傾き情報を生成し、前記傾き情報に基づき、前記傾きに応じた操作内容を示す操作情報を生成し、前記操作情報を前記本体へ向け送信し、前記本体は、前記リモートコントローラーを支持していない場合、前記操作情報を受信し、前記操作情報に基づき、前記操作内容に応じた画像を生成し、当該画像を投写することを特徴とする。
【００１９】
本発明によれば、プロジェクターは、リモコンが本体に支持されている場合に傾き情報に基づいて画像の歪みを補正し、リモコンが本体に支持されていない場合に操作情報に基づいて画像を生成することにより、支持の状態に応じて異なる情報を使用することができるため、傾き検出機能を有するリモコンをより有効に使用することができる。
【発明を実施するための最良の形態】
【００２０】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２１】
（第１の実施例）
図１は、第１の実施例における非支持状態の投写状況を示す図である。プロジェクター１００は、本体１０と、本体１０に着脱可能なリモコン２０で構成されている。本体１０は、スクリーン３０に画像４０を投写する。
【００２２】
リモコン２０にはジャイロセンサーが搭載されている。ユーザーは、リモコン２０を本体１０から取り外して（非支持状態で）所望の方向に振ることによって画像４０の拡大、縮小等の操作（例えば、リモコン２０の単位時間当りの左から右への移動量が所定値以上の場合は拡大操作、リモコン２０の単位時間当りの右から左への移動量が所定値以上の場合は縮小操作）を行う。リモコン２０は、当該操作の内容を示す操作情報を本体１０へ向け送信する。本体１０は、当該操作情報に基づいて画像４０の移動等を行う。
【００２３】
図２は、第１の実施例における支持状態の投写状況を示す図である。ユーザーは、リモコン２０を本体１０に取り付けた状態（支持状態）でプロジェクター１００を移動させる。本体１０は、リモコン２０からリモコン２０の傾きを示す傾き情報を入力し、当該傾きに応じて画像の歪み（プロジェクター１００の移動によって発生する画像の歪み）を補正する。
【００２４】
次に、このような機能を有するプロジェクター１００の本体１０とリモコン２０の機能ブロックについて説明する。図３は、第１の実施例におけるプロジェクター１００の本体１０とリモコン２０の機能ブロック図である。
【００２５】
リモコン２０は、リモコン２０の傾きを検出して当該傾きを示す傾き情報を生成する傾き情報生成部１１０と、傾き情報に基づいて傾きに応じた操作内容を示す操作情報を生成する操作情報生成部１１２と、リモコン２０が本体１０に支持されている状態で、傾き情報を本体１０に出力するコントローラー側コネクター部１２０と、リモコン２０が本体１０に支持されていない状態で、本体１０へ向け操作情報を送信する送信部１３０と、本体１０からの接続通知情報に基づいてリモコン２０が本体１０に支持されている状態かどうかを判定する判定部１４０を含んで構成されている。
【００２６】
本体１０は、コントローラー側コネクター部１２０と接続される本体側コネクター部１５０と、操作情報を受信する受信部１６０と、リモコン２０が本体側コネクター部１５０に支持されている状態で、傾き情報に基づいて画像の歪みを補正する補正部１７０と、操作情報等に応じて画像を生成する画像生成部１８０と、画像を投写する投写部１９０を含んで構成されている。
【００２７】
なお、これらの各部の機能は、例えば、以下のハードウェアを用いてプロジェクター１００に実装されてもよい。例えば、傾き情報生成部１１０はジャイロセンサー、傾きセンサー等、操作情報生成部１１２、判定部１４０、補正部１７０はＣＰＵ等、コントローラー側コネクター部１２０、本体側コネクター部１５０はＵＳＢコネクター等、送信部１３０、受信部１６０は無線通信ユニット等、画像生成部１８０は画像処理回路等、投写部１９０はランプ、液晶駆動回路、液晶パネル、レンズ等であってもよい。
【００２８】
次に、本体１０とリモコン２０を用いた画像４０の投写手順について説明する。図４は、第１の実施例における投写手順を示すフローチャートである。
【００２９】
傾き情報生成部１１０は、適切な時間間隔でリモコン２０の傾きを検出して傾き情報を生成する（ステップＳ１）。操作情報生成部１１２は、傾き情報に基づき、操作情報を生成する（ステップＳ２）。
【００３０】
本体側コネクター部１５０は、リモコン２０が本体１０に接続されているかどうかを判定する（ステップＳ３）。なお、この判定手法は、例えば、物理的接触で判定する手法、信号を入出力して判定する手法、近接センサーで判定する手法等を採用可能である。
【００３１】
リモコン２０が本体１０に接続されていると判定された場合、本体側コネクター部１５０は、接続通知情報をコントローラー側コネクター部１２０に出力し、コントローラー側コネクター部１２０は当該接続通知情報を入力する（ステップＳ４）。
【００３２】
接続通知情報が入力された場合、判定部１４０は、支持状態にあると判定し、送信部１３０による傾き情報の送信を停止させるとともに、コントローラー側コネクター部１２０に対して傾き情報を本体側コネクター部１５０に出力させる制御を行う。本体側コネクター部１５０は当該傾き情報を入力する（ステップＳ５）。
【００３３】
補正部１７０は、傾き情報に基づき、画像４０の歪みを補正する（ステップＳ６）。画像生成部１８０は、歪みの補正された画像４０を生成し、投写部１９０は、画像４０を投写する（ステップＳ９）。
【００３４】
一方、ステップＳ３の判定で、リモコン２０が本体１０に接続されていないと判定された場合、判定部１４０は、非支持状態にあると判定し、コントローラー側コネクター部１２０による傾き情報の出力を停止させるとともに、送信部１３０に対して傾き情報の送信を開始させる制御を行う。送信部１３０は本体１０へ向け操作情報を送信し、受信部１６０は当該操作情報を受信する（ステップＳ７）。
【００３５】
画像生成部１８０は、操作情報に基づき、拡大等を行った画像４０を生成し（ステップＳ８）、投写部１９０は、画像４０を投写する（ステップＳ９）。
【００３６】
本体１０およびリモコン２０は、電源オフ等によって一連の処理（ステップＳ１〜Ｓ９）を終了すべきかどうかを判定し（ステップＳ１０）、終了すべき場合は終了し、終了すべきでない場合は一連の処理を続行する。
【００３７】
以上のように、本実施例によれば、プロジェクター１００は、リモコン２０が本体１０に接続されている場合にコネクター等の有線伝送路を介して傾き情報等を入力することにより、リアルタイムに傾き情報等を入力することができる。これにより、プロジェクター１００は、傾き検出機能を有するリモコン２０をより有効に使用することができる。
【００３８】
また、本実施例によれば、接続通知情報を入出力することにより、リモコン２０は、本体側コネクター部１５０との接続をより確実に判定することができるため、接続状態に応じて操作情報または傾き情報を出力する場合であっても、適切な情報を出力することができる。
【００３９】
また、本実施例によれば、プロジェクター１００は、リアルタイムに傾き情報を入力することができるため、リアルタイムに画像４０の歪みを補正することができる。また、本実施例によれば、ユーザーは、本体１０から傾き検出機能を有するリモコン２０を取り外して使用することにより、リモコン２０を傾けることによってプロジェクター１００を操作することができる。
【００４０】
また、本実施例によれば、プロジェクター１００は、本体１０とリモコン２０の両方に傾き情報生成部１１０を設ける必要がなく、リモコン２０の傾き情報生成部１１０の機能を本体１０でも使用することができるため、プロジェクター１００の製造費用を抑制することができる。
【００４１】
（第２の実施例）
第１の実施例ではコネクターを用いているが、コネクターは必須ではない。本実施例では、傾き情報および操作情報を送受信する例について説明する。
【００４２】
図５は、第２の実施例におけるプロジェクター１０１の本体１１とリモコン２１の機能ブロック図である。プロジェクター１０１は第１の実施例のプロジェクター１００と同様の構成であるが、コントローラー側コネクター部１２０、本体側コネクター部１５０を有しておらず、支持部１５２を有している点でプロジェクター１００と相違する。
【００４３】
図６は、第２の実施例における投写手順を示すフローチャートである。傾き情報生成部１１１は、常にリモコン２０の傾きを検出して傾き情報を生成する（ステップＳ１１）。操作情報生成部１１２は、傾き情報に基づき、操作情報を生成する（ステップＳ１２）。
【００４４】
リモコン２１の送信部１３１は、傾き情報生成部１１１からの傾き情報と操作情報生成部１１２からの操作情報を常に本体１１へ向け送信し、受信部１６１は、傾き情報および操作情報を受信する（ステップＳ１３）。支持部１５２は、リモコン２１との物理的接触や近接を検出することによってリモコン２１が本体１１に支持されているかどうかを判定する（ステップＳ１４）。
【００４５】
リモコン２１が本体１１に支持されていると判定された場合、受信部１６１は、傾き情報を補正部１７１に出力し、操作情報を出力しない。補正部１７１は、傾き情報に基づき、画像４０の歪みを補正する（ステップＳ１５）。画像生成部１８０は、歪みの補正された画像４０を生成し、投写部１９０は、画像４０を投写する（ステップＳ１７）。
【００４６】
一方、ステップＳ１４の判定で、リモコン２１が本体１１に支持されていないと判定された場合、受信部１６１は、操作情報を画像生成部１８０に出力し、傾き情報を出力しない。画像生成部１８０は、操作情報に基づき、拡大等を行った画像４０を生成し（ステップＳ１６）、投写部１９０は、画像４０を投写する（ステップＳ１７）。
【００４７】
本体１１およびリモコン２１は、電源オフ等の終了処理のトリガーとなるイベントの有無に応じて一連の処理（ステップＳ１１〜Ｓ１７）を終了するか続行するかを決定する（ステップＳ１８）。
【００４８】
以上のように、本実施例によれば、プロジェクター１０１は、プロジェクター１００と同様に、支持状態で傾き情報に応じて画像４０の歪みを補正して投写するとともに、非支持状態で操作情報に応じて操作内容に応じた画像４０を生成して投写することができる。
【００４９】
また、本実施例によれば、プロジェクター１０１は、支持の状態に応じて異なる情報を使用することができるため、傾き検出機能を有するリモコン２１をより有効に使用することができる。
【００５０】
（第３の実施例）
図７は、第３の実施例におけるプロジェクター１０２の本体１２とリモコン２２の機能ブロック図である。プロジェクター１０２の送信部はコントローラー側通信部１３２として構成され、本体１２の受信部は本体側通信部１６２として構成され、本体１２およびリモコン２２は相互に情報を送受信できるように構成されている。
【００５１】
本体側通信部１６２は、支持部１５２によって支持状態と判定された場合、リモコン２２を支持していることを示す情報をコントローラー側通信部１３２へ向け送信する。コントローラー側通信部１３２は、当該情報を受信した場合、傾き情報を送信し、操作情報を送信しない。
【００５２】
一方、本体側通信部１６２は、支持部１５２によって非支持状態と判定された場合、リモコン２２を支持していないことを示す情報をコントローラー側通信部１３２へ向け送信する。コントローラー側通信部１３２は、当該情報を受信した場合、操作情報を送信し、傾き情報を送信しない。
【００５３】
以上のように、本実施例によってもプロジェクター１０２は、リモコン２２が本体１２に支持されている場合に傾き情報に基づいて画像４０の歪みを補正し、リモコン２２が本体１２に支持されていない場合に操作情報に基づいて画像４０を生成することにより、支持の状態に応じて異なる情報を使用することができるため、傾き検出機能を有するリモコン２２をより有効に使用することができる。
【００５４】
（その他の実施例）
なお、本発明の適用は上述した実施例に限定されず、種々の変形が可能である。例えば、第１の実施例では、リモコン２０が充電池を有する場合、本体側コネクター部１５０はリモコン２０に電力を供給してリモコン２０の充電を行ってもよい。
【００５５】
また、プロジェクター１００〜１０２は、図１等に示す卓上型のものには限定されず、片手で支持できるようなハンディー型のものであってもよい。例えば、ユーザーがハンディー型のプロジェクターで画像を投写するような画像４０が揺れやすい状況であっても、上述した実施例によれば、当該プロジェクターは、画像の歪みをリアルタイムに補正することができるため、適切な画像を投写することができる。
【００５６】
また、プロジェクター１００〜１０２は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００〜１０２の機能を複数の装置（例えば、ＰＣとプロジェクター等）に分散して実装してもよい。
【図面の簡単な説明】
【００５７】
【図１】第１の実施例における非支持状態の投写状況を示す図である。
【図２】第１の実施例における支持状態の投写状況を示す図である。
【図３】第１の実施例におけるプロジェクターの本体とリモコンの機能ブロック図である。
【図４】第１の実施例における投写手順を示すフローチャートである。
【図５】第２の実施例におけるプロジェクターの本体とリモコンの機能ブロック図である。
【図６】第２の実施例における投写手順を示すフローチャートである。
【図７】第３の実施例におけるプロジェクターの本体とリモコンの機能ブロック図である。
【符号の説明】
【００５８】
１０〜１２  本体、２０〜２２  リモコン、３０  スクリーン、４０  画像、１００〜１０２  プロジェクター、１１０、１１１  傾き情報生成部、１１２  操作情報生成部、１２０〜１２２  コントローラー側コネクター部、１３０、１３１  送信部、１３２  コントローラー側通信部（送信部）、１４０  判定部、１５０  本体側コネクター部、１６０、１６１  受信部、本体側通信部、１７０、１７１  補正部、１８０  画像生成部、１９０  投写部
【図１】
2010128874.tif 000003
【図２】
2010128874.tif 000004
【図３】
2010128874.tif 000005
【図４】
2010128874.tif 000006
【図５】
2010128874.tif 000007
【図６】
2010128874.tif 000008
【図７】
2010128874.tif 000009